(57)【要約】【課題】複数の商品提供者の、複数の商品について、１つの電子チラシを用いてまとめて購入申込を行う。【解決手段】複数の消費者のコンピュータから消費者情報を受信し、複数の商品提供者のコンピュータから提供者情報を受信して、各々の情報を記憶部に格納する格納ステップ（３０１，３０２）と、消費者情報に含まれる、電子チラシの配布を希望する商品を選択した商品選択情報を取得し、商品選択情報に含まれる条件に基づいて、提供者情報に含まれる、商品の属性情報を含む商品コラムを抽出する抽出ステップ（３０３）と、抽出された商品コラムをレイアウトして、対応する消費者情報ごとに電子チラシを作成する作成ステップ（３０３）と、作成された電子チラシを、消費者情報に対応する消費者のコンピュータに送信する送信ステップ（３０４）とを備えた。【選択図】　　　　図３
2004062528.tif 000002
【特許請求の範囲】
【請求項１】
消費者のコンピュータに商品の電子チラシを配布して、消費者からの商品の購入申込を受け付ける販売仲介者のサーバにおける電子商取引方法において、
複数の消費者のコンピュータから消費者情報を受信し、複数の商品提供者のコンピュータから提供者情報を受信して、各々の情報を記憶部に格納する格納ステップと、
前記消費者情報に含まれる、電子チラシの配布を希望する商品を選択した商品選択情報を取得し、該商品選択情報に含まれる条件に基づいて、前記提供者情報に含まれる、商品の属性情報を含む商品コラムを抽出する抽出ステップと、
該抽出ステップで抽出された前記商品コラムをレイアウトして、対応する前記消費者情報ごとに電子チラシを作成する作成ステップと、
該作成ステップで作成された前記電子チラシを、前記消費者情報に対応する前記消費者のコンピュータに送信する送信ステップと
を備えたことを特徴とする電子商取引方法。
【請求項２】
前記消費者情報は、電子チラシの配布方法を指定する配布希望情報を含み、
前記抽出ステップは、前記配布希望情報を抽出し、電子チラシの配布を行うか否かを判定して、配布を行う消費者情報に対応する商品コラムを抽出することを特徴とする請求項１に記載の電子商取引方法。
【請求項３】
前記記憶部に、商品コラムごとのアクセス数が格納され、
前記作成ステップは、抽出された商品コラムに対応する前記アクセス数をカウントアップし、
前記送信ステップは、前記アクセス数を前記抽出された商品コラムを含む提供者情報に対応する商品提供者のコンピュータに送信することを特徴とする請求項１または２に記載の電子商取引方法。
【請求項４】
複数の消費者のコンピュータから商品申込情報を受信して、前記記憶部に格納するステップと、
前記記憶部に格納された複数の前記商品申込情報を、商品の属性ごとにグルーピングを行う分類ステップと、
該分類ステップでグルーピングされた商品ごとに、商品提供者のコンピュータに発注情報を送信するステップと
を備えたことを特徴とする請求項１、２または３に記載の電子商取引方法。
【請求項５】
複数の消費者のコンピュータから商品申込情報を受信して、前記記憶部に格納するステップと、
前記記憶部に格納された前記商品申込情報ごとに、商品提供者のコンピュータに発注情報を送信するステップと、
前記商品申込情報ごとに作成されたクーポン券を、消費者のコンピュータに送信するステップと
を備えたことを特徴とする請求項１、２または３に記載の電子商取引方法。
【請求項６】
消費者のコンピュータに商品の電子チラシを配布して、消費者からの商品の購入申込を受け付ける販売仲介者の電子商取引装置において、
複数の消費者のコンピュータから受信した消費者情報と、複数の商品提供者のコンピュータから受信した提供者情報とを格納する記憶手段と、
前記消費者情報に含まれる、電子チラシの配布を希望する商品を選択した商品選択情報を取得し、該商品選択情報に含まれる条件に基づいて、前記提供者情報に含まれる、商品の属性情報を含む商品コラムを抽出する抽出手段と、
該抽出手段で抽出された前記商品コラムをレイアウトして、対応する前記消費者情報ごとに電子チラシを作成する作成手段と、
該作成手段で作成された前記電子チラシを、前記消費者情報に対応する前記消費者のコンピュータに送信する送信手段と
を備えたことを特徴とする電子商取引装置。
【請求項７】
消費者のコンピュータに商品の電子チラシを配布して、消費者からの商品の購入申込を受け付ける販売仲介者のコンピュータに、請求項１ないし４のいずれかに記載の各ステップを実行させるためのプログラムを記録したコンピュータ読み取り可能な記録媒体。
【請求項８】
消費者のコンピュータに商品の電子チラシを配布して、消費者からの商品の購入申込を受け付ける販売仲介者のコンピュータに、請求項１ないし４のいずれかに記載の各ステップを実行させるためのプログラム。
【発明の詳細な説明】
【０００１】
【発明の属する技術分野】
本発明は、電子商取引方法およびその装置に関し、より詳細には、販売仲介者を介して複数の商品提供者から希望する商品の情報を入手して購入するための電子商取引方法およびその装置に関する。
【０００２】
【従来の技術】
近年、インターネットなどのネットワークを介した電子商取引が行われている。消費者は、ネットワーク上のウェブ・サーバにアクセスして、仮想店舗から購入したい商品の情報を収集し、仮想店舗を運営する販売仲介者に対して、希望の商品の購入を依頼することができる。また、プッシュ型の情報提供方法を用いて、商品の情報を電子的なチラシとして配布し、消費者からの購入申込を受け付けることも行われている。
【０００３】
商品の購入に当たっては、消費者は、予めサーバ・コンピュータに、商品の配送先、支払方法などの消費者情報を、販売仲介者のウェブ・サーバに登録しておくのが一般的である。また、消費者情報の事前登録と引き替えに、識別情報、パスワードなどを決定し、登録しておくことで、商品の購入の際に、サーバ・コンピュータが認証を行うようになっている。
【０００４】
【発明が解決しようとする課題】
しかしながら、消費者は、商品提供者の提供するカテゴリーの商品または販売仲介者のが仲介することができる商品という限られた種類の商品しか購入することができない。同じカテゴリーの商品であっても、複数の商品提供者の商品を、品質、価格の面から比較して購入したい場合には、複数のサーバ・コンピュータにアクセスして、個々に品質、価格の情報を取得しまたは交渉しなければならず、手続きが煩雑であるという問題があった。
【０００５】
また、プッシュ型の情報提供方法を用いて配布される電子的なチラシは、商品提供者または販売仲介者が一方的に配布するものである。消費者の選り好みが反映されていないので、消費者は、希望する商品について検索・抽出を行わなければならず手続きが煩雑であるという問題もあった。
【０００６】
本発明は、このような問題に鑑みてなされたもので、その目的とするところは、複数の商品提供者の、複数の商品について、１つの電子チラシを用いてまとめて購入申込を行うことができる電子商取引方法およびその装置を提供することにある。
【０００７】
【課題を解決するための手段】
本発明は、このような目的を達成するために、請求項１に記載の発明は、消費者のコンピュータに商品の電子チラシを配布して、消費者からの商品の購入申込を受け付ける販売仲介者のサーバにおける電子商取引方法において、複数の消費者のコンピュータから消費者情報を受信し、複数の商品提供者のコンピュータから提供者情報を受信して、各々の情報を記憶部に格納する格納ステップと、前記消費者情報に含まれる、電子チラシの配布を希望する商品を選択した商品選択情報を取得し、該商品選択情報に含まれる条件に基づいて、前記提供者情報に含まれる、商品の属性情報を含む商品コラムを抽出する抽出ステップと、該抽出ステップで抽出された前記商品コラムをレイアウトして、対応する前記消費者情報ごとに電子チラシを作成する作成ステップと、該作成ステップで作成された前記電子チラシを、前記消費者情報に対応する前記消費者のコンピュータに送信する送信ステップとを備えたことを特徴とする。
【０００８】
請求項２に記載の発明は、請求項１に記載の前記消費者情報は、電子チラシの配布方法を指定する配布希望情報を含み、前記抽出ステップは、前記配布希望情報を抽出し、電子チラシの配布を行うか否かを判定して、配布を行う消費者情報に対応する商品コラムを抽出することを特徴とする。
【０００９】
請求項３に記載の発明は、請求項１または２に記載の前記記憶部に、商品コラムごとのアクセス数が格納され、前記作成ステップは、抽出された商品コラムに対応する前記アクセス数をカウントアップし、前記送信ステップは、前記アクセス数を前記抽出された商品コラムを含む提供者情報に対応する商品提供者のコンピュータに送信することを特徴とする。
【００１０】
請求項４に記載の発明は、請求項１、２または３に記載の電子商取引方法において、複数の消費者のコンピュータから商品申込情報を受信して、前記記憶部に格納するステップと、前記記憶部に格納された複数の前記商品申込情報を、商品の属性ごとにグルーピングを行う分類ステップと、該分類ステップでグルーピングされた商品ごとに、商品提供者のコンピュータに発注情報を送信するステップとを備えたことを特徴とする。
【００１１】
請求項５に記載の発明は、請求項１、２または３に記載の電子商取引方法において、複数の消費者のコンピュータから商品申込情報を受信して、前記記憶部に格納するステップと、前記記憶部に格納された前記商品申込情報ごとに、商品提供者のコンピュータに発注情報を送信するステップと、前記商品申込情報ごとに作成されたクーポン券を、消費者のコンピュータに送信するステップとを備えたことを特徴とする。
【００１２】
請求項６に記載の発明は、消費者のコンピュータに商品の電子チラシを配布して、消費者からの商品の購入申込を受け付ける販売仲介者の電子商取引装置において、複数の消費者のコンピュータから受信した消費者情報と、複数の商品提供者のコンピュータから受信した提供者情報とを格納する記憶手段と、前記消費者情報に含まれる、電子チラシの配布を希望する商品を選択した商品選択情報を取得し、該商品選択情報に含まれる条件に基づいて、前記提供者情報に含まれる、商品の属性情報を含む商品コラムを抽出する抽出手段と、該抽出手段で抽出された前記商品コラムをレイアウトして、対応する前記消費者情報ごとに電子チラシを作成する作成手段と、該作成手段で作成された前記電子チラシを、前記消費者情報に対応する前記消費者のコンピュータに送信する送信手段とを備えたことを特徴とする。
【００１３】
請求項７に記載の発明は、消費者のコンピュータに商品の電子チラシを配布して、消費者からの商品の購入申込を受け付ける販売仲介者のコンピュータに、請求項１ないし４のいずれかに記載の各ステップを実行させるためのプログラムを記録したコンピュータ読み取り可能な記録媒体であることを特徴とする。
【００１４】
請求項８に記載の発明は、消費者のコンピュータに商品の電子チラシを配布して、消費者からの商品の購入申込を受け付ける販売仲介者のコンピュータに、請求項１ないし４のいずれかに記載の各ステップを実行させるためのプログラムであることを特徴とする。
【００１５】
【発明の実施の形態】
以下、図面を参照しながら本発明の実施形態について詳細に説明する。本発明にかかる電子商取引方法は、販売仲介者を介して複数の商品提供者から希望する商品の情報を電子チラシとして入手する。販売仲介者と消費者との間で、商品購入の契約が締結されると、単独購入または共同購入、オンライン販売または店頭販売のいずれかにより、消費者は、商品を購入する。
【００１６】
図１は、本発明の一実施形態にかかる電子商取引システムを示した構成図である。電子商取引システムは、インターネット１０１に、接続装置１０２ａ〜１０２ｄを介して接続された販売仲介者のサーバ１１１と、商品提供者のコンピュータ１２１ａ，１２１ｂと、消費者のコンピュータ１３１ａ〜１３１ｄとから構成されている。
【００１７】
このような構成により、販売仲介者のサーバ１１１は、商品提供者のコンピュータ１２１ａ，１２１ｂから様々な商品の情報を入手して蓄積する。サーバ１１１は、消費者ごとに、事前に登録された希望の商品の情報を抽出して、電子チラシを作成する。消費者は、コンピュータ１３１ａ〜１３１ｄのブラウザ・アプリケーションを介して、サーバ１１１にアクセスし、希望の商品の電子チラシを入手して、サーバ１１１に購入申込を行う。また、サーバ１１１は、複数の消費者からの購入申込を取りまとめて、共同購入の仲介を行うこともできる。
【００１８】
図２は、本発明の一実施形態にかかる販売仲介者のシステムを示したブロック図である。販売仲介者のシステムは、サーバ１１１とデータベース１１２とから構成されている。サーバ１１１は、商取引の仲介処理などを行うＣＰＵ２０１と、ＢＩＯＳ（Ｂａｓｉｃ　Ｉｎｐｕｔ　Ｏｕｔｐｕｔ　Ｓｙｓｔｅｍ）などが格納されたＲＯＭ２０２と、処理のための一次記憶領域などに用いるＲＡＭ２０３と、インターネット１０１に接続するための通信装置２０５と、データベース１１２とのインタフェース２０６と、キーボードなどの入力手段と、ディスプレイなどの出力手段とが接続された入出力装置２０７とが、バス２０４に接続されている。
【００１９】
このような構成により、ＣＰＵ２０１は、インターネット１０１と通信装置２０５とを介して、商品提供者のコンピュータ１２１ａ，１２１ｂと消費者のコンピュータ１３１ａ〜１３１ｄとから情報を収集し、インタフェース２０６を介してデータベース１１２に登録する。
【００２０】
図３は、本発明の一実施形態にかかる電子商取引方法を示したシーケンス図である。商取引の流れの概略について説明する。消費者と商品提供者とは、コンピュータのブラウザ・アプリケーションを介して、販売仲介者のサーバ１１１にアクセスし、本発明にかかる電子商取引方法のサービスを受けるための登録を行う（３０１，３０２）。登録内容は、データベース１１２に消費者情報および提供者情報として格納される。
【００２１】
消費者は、登録に際して、ユーザ名称、電子メールアドレスなどの情報の他に、電子チラシとして配布を希望する商品を選択する（３０１）。選択の方法は、例えば、商品のカテゴリー、特定の商品名、特定の商品提供者名などの１または複数の条件を商品選択情報として登録することができ、消費者情報に含めてデータベース１１２に登録される。
【００２２】
一方、商品提供者は、消費者に提供する商品を登録する。商品毎に、商品名、商品の外観画像、販売価格、販売形態、販売期間、仕様などの商品の属性情報を、提供者情報に含めて登録する。登録フォームには、単品型または複数型、テキスト型またはイメージ型など複数のフォームがあり、登録フォームを１単位（以下、商品コラムという）として登録する。
【００２３】
サーバ１１１は、データベース１１２に格納された消費者情報に含まれる商品選択情報に基づいて、消費者毎に希望する条件に該当する商品の商品コラムを、データベース１１２に格納された提供者情報から抽出する。抽出された１または複数の商品コラムをレイアウトして、消費者毎にカスタマイズされた電子チラシを作成する（３０３）。
【００２４】
作成された電子チラシは、例えば、電子メールにより消費者に配布される（３０４）。電子チラシは、電子メールまたは携帯電話に配布のお知らせを通知し、消費者がサーバ１１１にアクセスして、閲覧するようにしてもよい。電子チラシの配布の状況が、商品提供者に通知される（３０５）。例えば、商品提供者が登録した商品コラムが、電子チラシに取り上げられた回数をカウントアップして、何人の消費者に配布されたかを通知する。
【００２５】
消費者は、コンピュータ１３１ａ〜１３１ｄのブラウザ・アプリケーションを介して、商品提供者のコンピュータ１２１ａ，１２１ｂにアクセスし、商品の購入申込をすることができる（３０６）。消費者からの購入申込は、データベース１１２に、商品申込情報として格納される。
【００２６】
サーバ１１１は、複数の消費者からの購入申込情報を取りまとめて、例えば、商品のカテゴリーごとに集計し、購入グループを形成する（３０７）。サーバ１１１は、購入グループごとに商品提供者に発注を行う（３０８）。このとき、消費者毎に個別に商品提供者との間で売買契約を締結してもよいし、購入グループ単位によるまとめ買い形式により、売買契約を締結してもよい。後者の方法によれば、消費者は大量発注による割引を受けることができ、商品提供者は大量受注による在庫の処分が容易になる。
【００２７】
サーバ１１１は、消費者のコンピュータ１３１ａ〜１３１ｄに、受注の状況を通知する（３０９）。上述したように、通知は、電子メールにより配布してもよいし、電子メールまたは携帯電話にお知らせを通知し、消費者がサーバ１１１にアクセスして、閲覧するようにしてもよい。
【００２８】
図４は、販売仲介者のサーバにおける電子商取引方法を示したフローチャートである。サーバ１１１は、ユーザ名称、電子メールアドレス、電子チラシとして配布を希望する商品などの情報を含む消費者情報を、消費者のコンピュータ１３１ａ〜１３１ｄから受信して、データベース１１２に格納する（Ｓ４０１）。また、商品毎に、商品名、商品の外観画像、販売価格、販売形態、販売期間、仕様などの商品情報を含む提供者情報を、商品提供者のコンピュータ１２１ａ，１２１ｂから受信して、データベース１１２に格納する（Ｓ４０２）。
【００２９】
次に、電子チラシの配布までを説明する。配布の方法としては、（１）サーバ１１１が、一定の期間ごとに、配布を希望している全ての消費者に配布する。（２）例えば、１０日間おき、毎週金曜日など配布方法を指定する配布希望情報を消費者情報に含め、サーバ１１１が、消費者情報を検索して該当する消費者にのみ配布する。などの方法をとることができる。
【００３０】
サーバ１１１は、電子チラシを配布する消費者の消費者情報を、データベース１１２から抽出し、商品の選択の際に商品選択情報として登録された１または複数の条件を取得する。この条件に基づいて、データベース１１２に登録された提供者情報から、消費者の希望する商品の商品コラムを抽出する（Ｓ４０３）。
【００３１】
図５に、消費者のコンピュータに表示される電子チラシ画面を示す。電子チラシ画面５００は、購入申込欄５０１とチラシ欄５０２とから構成されている。チラシ欄５０２は、消費者の選択した商品カテゴリーなどを示す属性欄５２１と、抽出された商品コラムがレイアウトされたコラム欄５２２とから構成されている。サーバ１１１は、抽出した商品コラムを順にコラム欄５２２に配置し、必要ならば複数ページにわたって表示できるように、電子チラシを作成する（Ｓ４０３）。
【００３２】
図５は、作成された電子チラシを、消費者がコンピュータ１３１ａ〜１３１ｄのブラウザ・アプリケーションを介して、閲覧するようにしたものである（Ｓ４０４）。商品提供者が登録した商品コラムが、電子チラシに取り上げられて、何人の消費者が閲覧したか、いわゆるアクセス数をカウントし、データベース１１２に登録しておく。アクセス数は、適宜、商品提供者のコンピュータ１２１ａ，１２１ｂに通知してもよいし、サーバ１１１を介して閲覧できるようにしてもよい。
【００３３】
消費者は、購入申込欄５０１から商品の購入申込をすることができる（Ｓ４０５）。消費者からの購入申込形態は、オンライン販売と店頭販売とに分けられる（Ｓ４０６）。さらに、オンライン販売の場合には、共同購入と単体購入とに分けられる（Ｓ４０７）。共同購入場合には、サーバ１１１は、複数の消費者からの購入申込情報を取りまとめて、例えば、商品のカテゴリーごとに集計し、購入グループを形成し、購入グループごとに商品提供者に発注を行う（Ｓ４０８）。
【００３４】
単体購入場合には、サーバ１１１は、消費者からの購入申込ごとに商品提供者に発注を行う（Ｓ４０９）。店頭販売の場合には、仮予約の形で発注を行う（Ｓ４１０）。例えば、消費者が指定した商店に商品を配送するように、商品提供者に発注を行い、消費者のコンピュータ１３１ａ〜１３１ｄには、クーポン券を配布する。消費者は、クーポン券をプリントアウトして商店に持参し、商品を購入する。または、携帯電話にクーポン券の画像情報を送信し、消費者は、携帯電話を持参してクーポン券を表示し、商品を購入するようにしてもよい。
【００３５】
消費者からの購入申込は、商品申込情報として、データベース１１２に格納され、発注または仮予約が終了すると、受注完了の旨が、消費者のコンピュータ１３１ａ〜１３１ｄに通知される（Ｓ４１１）。なお、店頭販売の場合であっても、単体購入と共同購入とに分けてもよく、他の購入形態、他の購入方法を組み合わせて適用してもよい。
【００３６】
本実施形態によれば、消費者は、複数の商品提供者の、複数の商品について、１つの電子チラシを用いて、まとめて購入申込を行うことができる。従って、消費者は、複数の商品提供者のコンピュータにアクセスして、希望する商品について検索・抽出を行う必要がない。
【００３７】
また、本実施形態によれば、複数の消費者からの購入申込を、販売仲介者のサーバが取りまとめて共同購入グループを形成したり、店頭販売のための仮予約を受け付けることもできるので、消費者および商品提供者にとって最適な条件で売買契約を締結することができる。
【００３８】
【発明の効果】
以上説明したように、本発明によれば、消費者情報に含まれる、電子チラシの配布を希望する商品を選択した商品選択情報を取得し、商品選択情報に含まれる条件に基づいて、提供者情報に含まれる、商品の属性情報を含む商品コラムを抽出する抽出ステップと、抽出ステップで抽出された商品コラムをレイアウトして、対応する消費者情報ごとに電子チラシを作成するので、複数の商品提供者の、複数の商品について、１つの電子チラシを用いてまとめて購入申込を行うことが可能となる。
【図面の簡単な説明】
【図１】本発明の一実施形態にかかる電子商取引システムを示した構成図である。
【図２】本発明の一実施形態にかかる販売仲介者のシステムを示したブロック図である。
【図３】本発明の一実施形態にかかる電子商取引方法を示したシーケンス図である。
【図４】販売仲介者のサーバにおける電子商取引方法を示したフローチャートである。
【図５】消費者のコンピュータに表示される電子チラシ画面を示した図である。
【符号の説明】
１０１　　インターネット
１０２ａ〜１０２ｄ　　接続装置
１１１　　サーバ
１１２　　データベース
１２１ａ，１２１ｂ，１３１ａ〜１３１ｄ　　コンピュータ
２０１　　ＣＰＵ
２０２　　ＲＯＭ
２０３　　ＲＡＭ
２０４　　バス
２０５　　通信装置
２０６　　インタフェース
２０７　　入出力装置
【図１】
2004062528.tif 000003
【図２】
2004062528.tif 000004
【図３】
2004062528.tif 000005
【図４】
2004062528.tif 000006
【図５】
2004062528.tif 000007